(57)【特許請求の範囲】
【請求項１】
録画機能を有し、身体に装着可能なウェアラブルカメラと、前記ウェアラブルカメラとリンクされる車載装置と、を備えた録画システムであって、
前記ウェアラブルカメラは、
前記ウェアラブルカメラが前記車載装置から所定の距離以上離間したことを検出する離間検出部と、
前記ウェアラブルカメラにおける録画時間を規定する録画タイマーと、
前記離間検出部の検出出力に応じて、前記録画タイマーを設定して録画動作を開始させる録画開始制御部と、を有し、
前記録画タイマーが満了する前に、所定の操作に応じて前記録画タイマーを再設定して前記録画動作を継続させる、録画システム。
【請求項２】
請求項１に記載の録画システムであって、
前記ウェアラブルカメラは、更に、前記録画動作を制御するための録画ボタンを有し、
前記所定の操作は、前記録画ボタンの押下である、録画システム。
【請求項３】
請求項１又は請求項２に記載の録画システムであって、
前記ウェアラブルカメラは、更に、録画状態を表示するための録画ＬＥＤを有し、
録画動作状態で前記録画ＬＥＤを点灯させるとともに、前記録画タイマーの録画時間の残時間が所定の時間を下回った状態で前記録画ＬＥＤを点滅させる、録画システム。
【請求項４】
録画機能を有し、身体に装着可能なウェアラブルカメラであって、
前記ウェアラブルカメラが該ウェアラブルカメラとリンクされる車載装置から所定の距離以上離間したことを検出する離間検出部と、
前記ウェアラブルカメラにおける録画時間を規定する録画タイマーと、
前記離間検出部の検出出力に応じて、前記録画タイマーを設定して録画動作を開始させる録画開始制御部と、を備え、
前記録画タイマーが満了する前に、所定の操作に応じて前記録画タイマーを再設定して前記録画動作を継続させる、ウェアラブルカメラ。
【発明の詳細な説明】
【技術分野】
【０００１】
本発明は、撮像データを記録する録画システム及び身体に装着可能な携帯性を有するウェアラブルカメラに関する。
【背景技術】
【０００２】
近年、警察官や警備員の業務を支援するために、ウェアラブルカメラの導入が検討されている。
従来、ウェアラブルカメラを用いた認証システムが開発されており、例えば特許文献１に記載されたものがある。特許文献１に記載された認証システムは、カメラ付き懐中電灯である携帯端末と、該携帯端末の充電機能を有するクレードルと、該クレードルに接続されたパーソナルコンピュータを有し、当該システムが警備に用いられる場合、巡回パトロールを始めようとする警備員（ユーザ）が、まず個人認証情報の入力を含む認証作業を実施した後、携帯端末をクレードルから抜き取る。この抜き取りに応答して、該携帯端末にて録画が開始され、パーソナルコンピュータに接続された外部機器に対してパーソナルコンピュータから認証結果データを含む警備開始通知メールが送信される。警備員は、巡回を終えて携帯端末をクレードルに戻すと、警備終了通知メールが外部機器に送信される。その後、携帯端末における録画は終了されて、撮像データはパーソナルコンピュータ内の主記録媒体に転送される。
【先行技術文献】
【特許文献】
【０００３】
【特許文献１】特開２０１４−１４６１８４号公報
【発明の概要】
【発明が解決しようとする課題】
【０００４】
ところで、上述した特許文献１に記載された認証システムにおいては、携帯端末であるカメラをクレードルから引き抜いたときに録画を開始するようにしているが、使用状況によりクレードルから引き抜いた直後に録画する必要が無い場合がある。そのため、ユーザが任意に録画するようにすると、必要なときに録画できない恐れがあるが、常時録画を行うようにすると無駄な録画が行われるとともに、携帯端末の記憶容量および内蔵バッテリの電力を無駄にしてしまうという課題がある。
【０００５】
本発明は、係る事情に鑑みてなされたものであり、必要なときにのみ録画が可能な録画システム及びウェアラブルカメラを提供することを目的とする。
【課題を解決するための手段】
【０００６】
本発明の録画システムは、録画機能を有し、身体に装着可能なウェアラブルカメラと、前記ウェアラブルカメラとリンクされる車載装置と、を備えた録画システムであって、前記ウェアラブルカメラは、前記ウェアラブルカメラが前記車載装置から所定の距離以上離間したことを検出する離間検出部と、前記ウェアラブルカメラにおける録画時間を規定する録画タイマーと、前記離間検出部の検出出力に応じて、前記録画タイマーを設定して録画動作を開始させる録画開始制御部と、を有し、前記録画タイマーが満了する前に、所定の操作に応じて前記録画タイマーを再設定して前記録画動作を継続させる。
【０００７】
本発明のウェアラブルカメラは、録画機能を有し、身体に装着可能なウェアラブルカメラであって、前記ウェアラブルカメラが該ウェアラブルカメラとリンクされる車載装置から所定の距離以上離間したことを検出する離間検出部と、前記ウェアラブルカメラにおける録画時間を規定する録画タイマーと、前記離間検出部の検出出力に応じて、前記録画タイマーを設定して録画動作を開始させる録画開始制御部と、を備え、前記録画タイマーが満了する前に、所定の操作に応じて前記録画タイマーを再設定して前記録画動作を継続させる。
【発明の効果】
【０００８】
本発明によれば、必要なときにのみ録画が可能となる。例えば、録画もれを防止することができる。
【図面の簡単な説明】
【０００９】
【図１】本発明の一実施の形態に係るウェアラブルカメラを用いた録画システムの概要を示す図
【図２】図１に示すウェアラブルカメラをユーザの胸元に装着した例を示す図
【図３】図１に示す車載カメラシステムおよび車載カメラシステム操作用ＰＣの概略構成を示すブロック図
【図４】図１に示すウェアラブルカメラの概略構成を示すブロック図
【図５】図１に示すウェアラブルカメラの動作を説明するためのフロー図
【発明を実施するための形態】
【００１０】
以下、本発明を実施するための好適な実施の形態について、図面を参照して詳細に説明する。
【００１１】
図１は、本発明の一実施の形態に係るウェアラブルカメラ（ＷＣＡＭ：Wearable CAMera）１を用いた録画システム５００の概要を示す図である。同図に示す録画システム５００は、警察での使用を想定したものであり、ユーザ（本実施の形態では警察官）が所持するウェアラブルカメラ１と、パトカー５２０内に設置される車載カメラシステム２と、パトカー５２０内に設置される車載カメラシステム操作用ＰＣ（ＰＣ：パーソナルコンピュータ、以下“ＰＣ”と言う）３とを備える。ユーザは、事件現場に向かう際にウェアラブルカメラ１を所持する。図２は、ウェアラブルカメラ１をユーザの胸元に装着した例を示す図である。同図に示すウェアラブルカメラ１の本体前面側には、録画ボタン１２、スナップショットボタン１３およびレンズ１００Ａが設けられている。なお、車載カメラシステム２が車載装置であってもよいし、車載カメラシステム２とＰＣ３で車載装置を構成してもよい。
【００１２】
図３は、車載カメラシステム２およびＰＣ３の概略構成を示すブロック図である。同図において、車載カメラシステム２は、ビデオレコーダ２１と、車載カメラ２２と、ストレージ（記憶装置）２３とを備える。なお、ビデオレコーダ２１はＶＰＵ（Video Processing Unit）とも呼ばれる。また、ストレージ２３は、ビデオレコーダ２１に含まれるようにしてもよい。
【００１３】
ビデオレコーダ２１は、ＣＰＵ（Central Processing Unit）２１１と、フラッシュＲＯＭ（Read Only Memory）２１２と、ＲＡＭ（Random Access Memory）２１３と、ＳＡＴＡ（シリアルＡＴＡ）用コネクタ２１４と、マイコン２１５と、ボタン２１６と、ＬＥＤ（Light Emitting Diode）２１７と、ＧＰＳ（Global Positioning System）２１８と、ＧＰＳ用アンテナコネクタ２１９と、ＧＰＩＯ２２０と、通信部２２１と、ＬＡＮ用コネクタ２２２，２２３と、Ｗ−ＬＡＮ用コネクタ２２４と、を備える。なお、上記ＳＡＴＡは、記録ドライブの接続インタフェース規格である。また、ビデオレコーダ２１は、図示せぬＵＳＢ（Universal Serial Bus）も有している。
【００１４】
ＣＰＵ２１１は、ビデオレコーダ２１のマイコン２１５、通信部２２１およびストレージ２３を制御する。フラッシュＲＯＭ２１２は、ＣＰＵ２１１に制御処理を行わせるためのプログラムを記憶する。ＲＡＭ２１３は、ＣＰＵ２１１の動作時のワークメモリとして機能する。ＣＰＵ２１１は、フラッシュＲＯＭ２１２に記憶されている制御プログラムを読み出してＲＡＭ２１３に展開し、展開した制御プログラムに従って制御処理を行う。ＳＡＴＡ用コネクタ２１４は、ＣＰＵ２１１にＨＤＤ（Hard Disk）やＳＳＤ（Solid State Drive）等のストレージ２３を接続するためのコネクタである。ストレージ２３には、車載カメラ２２から得られた撮像データや、ウェアラブルカメラ１から得られた撮像データが記憶される。
【００１５】
マイコン２１５は、ボタン２１６の操作の検知、ＬＥＤ２１７の点灯制御およびＧＰＳ２１８で測位された測位情報および時刻情報の入力を行うとともに、ＧＰＩＯ２２０を介した外部機器との間の入出力に関する制御を行う。マイコン２１５は、ビデオレコーダ２１の各種状態をＬＥＤ２１７の点灯により示す。ビデオレコーダ２１の各種状態には、例えば「車載カメラ２２による撮影中」、「電源ＯＮ状態」、「ウェアラブルカメラ１との通信中」等がある。ＧＰＳ２１８は、地球周回軌道に配置された人工衛星から送信される電波を受信して緯度・経度・高度および時刻を測定し、その結果を位置情報および時刻補正用情報として出力する。ＧＰＳ２１８は、ＧＰＳ用アンテナコネクタ２１９を介して図示せぬＧＰＳアンテナに接続される。
【００１６】
通信部２２１は、車載カメラ２２およびＰＣ３のそれぞれとの間で有線による通信を行うとともに、ユーザが装着可能なウェアラブルカメラ１との間で無線による通信を行う。通信部２２１は、ＬＡＮ用コネクタ２２２を介して車載カメラ２２と接続され、またＬＡＮ用コネクタ２２３を介してＰＣ３と接続される。また、通信部２２１は、Ｗ−ＬＡＮ用コネクタ２２４を介してＷ−ＬＡＮアンテナ２４に接続される。通信部２２１は、ウェアラブルカメラ１と無線で通信を行う場合、ウェアラブルカメラ１との間でリンクを確立する処理を行う。ウェアラブルカメラ１との間の無線通信には、例えばＩＥＥＥ８０２．１１規格のＷ−ＬＡＮ（Wireless LAN）方式が用いられる。なお、ウェアラブルカメラ１との間の通信を有線で行うようにしてもよい。また、車載カメラ２２及びＰＣ３との間の通信を無線で行うようにしてもよい。
【００１７】
車載カメラ２２は、例えばパトカー５２０（図１参照）の前方を撮像するためのフロント用カメラ（図示略）と、パトカー５２０内のバックシート（つまり、容疑者を座らせているシート）を撮像するためのバックシート用カメラ（図示略）とにより構成される。車載カメラ２２から得られた撮像データは、ビデオレコーダ２１に接続されたストレージ２３に保存される。なお、フロントカメラには、車外の音を収音するマイク（図示略）を備え付けたり、バックシート用カメラにも、マイクを備え付けたりすることができ、パトカー５２０内の警察官又は容疑者の発する音声も収音（録音）可能である。
【００１８】
ビデオレコーダ２１は、ＰＣ３との間で通信可能に接続され、車載カメラシステム２にログインが許可（認証）されたユーザの入力操作に応じて、車載カメラ２２から得られた撮像データをＰＣ３に転送する。
【００１９】
ＰＣ３は、ＣＰＵ（Central Processing Unit）３１と、Ｉ／Ｏ制御部３２と、通信部３３と、メモリ３４と、入力部３５と、表示部３６と、スピーカ部３７と、ストレージ部３８と、を備える。ＣＰＵ３１は、ＰＣ３の各部の動作を全体的に統括するための制御処理、他の各部との間のデータのＩ／Ｏ制御部３２を介した入出力処理、データの演算（計算）処理及びデータの記憶処理を行う。例えば認証する場合、ＣＰＵ３１は、表示部３６に表示された車載カメラシステム２へのログイン画面（図示略）に対するユーザの入力操作により、ユーザの車載カメラシステム２へのログインの可否を認証する（ユーザ認証を行う）。ユーザの入力操作は、例えばＩＤ（ユーザの識別情報）とパスワード等を入力する操作である。
【００２０】
ログインが許可される対象となるユーザに関する各種情報は、例えばメモリ３４に予め保存されており、ＣＰＵ３１は、メモリ３４に予め保存されているログインの許可対象の情報を用いて、ユーザの車載カメラシステム２へのログインの可否を認証（判断）する。なお、ログインは、ＰＣ３を介した車載カメラシステム２へのログインでもよいし、ＰＣ３に搭載された車載カメラシステム２を操作するアプリケーションへのログインでもよい。
【００２１】
Ｉ／Ｏ制御部３２は、ＣＰＵ３１とＰＣ３の各部（具体的には、通信部３３、入力部３５、表示部３６、スピーカ部３７、ストレージ部３８）との間でデータの入出力に関する制御を行い、ＣＰＵ３１からのデータ及びＣＰＵ３１へのデータの中継を行う。なお、Ｉ／Ｏ制御部３２は、ＣＰＵ３１と一体的に構成されてもよい。
【００２２】
通信部３３は、パトカー５２０内に設置された車載カメラシステム２のビデオレコーダ２１との間で有線による通信を行う。なお、ＰＣ３とビデオレコーダ２１との間の通信に無線の使用も可能としてもよい。すなわち、無線と有線の両方を使用可能としてもよい。
【００２３】
メモリ３４は、例えばＲＡＭ等の揮発性の半導体メモリやＲＯＭ等の不揮発性の半導体メモリを用いて構成され、ＣＰＵ３１の動作時のワークメモリとして機能し、更に、ＣＰＵ３１を動作させるための所定のプログラム及びデータを保存している。また、メモリ３４は、車載カメラシステム２へのログインが許可されるユーザに関する各種情報を保存し、ＣＰＵ３１により車載カメラシステム２へのログインが許可（認証）されたユーザの識別情報を含むログイン情報を保存する。
【００２４】
入力部３５は、ユーザの入力操作を受け付け、それをＩ／Ｏ制御部３２を介してＣＰＵ３１に通知するためのユーザインタフェース（ＵＩ：User Interface）であり、マウス、ジョイステック等のポインティングデバイスである。なお、入力部３５は、例えば表示部３６の画面に対応して配置され、ユーザの指又はスタイラスペンによって操作が可能なタッチパネル又はタッチパッドを用いて構成されても良い。
【００２５】
表示部３６は、例えばＬＣＤ（Liquid Crystal Display）または有機ＥＬ（Electroluminescence）を用いて構成され、ユーザの入力操作に応じて、車載カメラシステム２へのログイン画面（図示略）を画面に表示する。また、表示部３６は、ユーザの入力操作に応じて、車載カメラシステム２の車載カメラ２２で撮像して得られた撮像データまたはウェアラブルカメラ１で撮像して得られた撮像データを表示する。スピーカ部３７は、増幅器およびスピーカ（いずれも図示略）を用いて構成され、ユーザの入力操作に応じて、車載カメラシステム２の車載カメラ２２で撮像して得られた撮像データまたはウェアラブルカメラ１で撮像して得られた撮像データに含まれる音声を出力する。表示部３６およびスピーカ部３７のいずれも、ＣＰＵ３１の指示の下で動作する。なお、表示部３６及びスピーカ部３７は、ＰＣ３とは別々の構成としてもよい。
【００２６】
ストレージ部３８は、ＰＣ制御プログラム、車載カメラシステム操作プログラム、ウェアラブルカメラ操作プログラムを保存するための記憶部である。ストレージ部３８には、車載カメラ２２やウェアラブルカメラ１で撮影したビデオファイルの一時保存も行うようにしてもよい。
【００２７】
図４は、ウェアラブルカメラ１の概略構成を示すブロック図である。同図において、ウェアラブルカメラ１は、録画ボタン１２、スナップショットボタン１３、Ｗ−ＬＡＮボタン１４、ＬＥＤ１５〜１７、コンタクトターミナル１８、撮像部１００、ＧＰＩＯ（General Purpose Input/Output）１０１、ＲＡＭ１０２、ＲＯＭ１０３、ＳＤメモリ１０４、ＥＥＰＲＯＭ（Electrically Erasable Programmable Read-Only Memory）１０５、ＲＴＣ（Real-Time Clock）１０６、ＧＰＳ（Global Positioning System）１０７、ＣＰＵ（Central Processing Unit）１０８、通信部１０９、ＵＳＢ（Universal Serial Bus）１１０、電源部１１１及びバッテリ１１２を有している。なお、ＳＤメモリ１０４は、ウェアラブルカメラ１から着脱可能な媒体であり、具体的にはＳＤカード等であるが、ウェアラブルカメラ１本体に内蔵されていても良い。
【００２８】
なお、ＣＰＵ１０８は、通信部１０９を用いて離間検出部１３０として機能する。また、ＣＰＵ１０８は録画開始制御部としても機能する。
【００２９】
撮像部１００は、ＣＣＤ（Charge Coupled Device）型イメージセンサやＣＭＯＳ（Complementary Metal Oxide Semiconductor）型イメージセンサ等の固体撮像素子を有しており、撮像データを出力する。また、撮像部１００には上述したレンズ１００Ａが設けられている。ＧＰＩＯ１０１は、パラレルインタフェースであり、録画ボタン１２、スナップショットボタン１３、Ｗ−ＬＡＮボタン１４およびＬＥＤ１５〜１７とＣＰＵ１０８との間の信号の入出力を行う。
【００３０】
ＲＡＭ１０２は、ＣＰＵ１０８の動作において使用されるワークメモリである。ＲＯＭ１０３は、ＣＰＵ１０８を制御するためのプログラムを記憶する。ＳＤメモリ１０４は、撮像部１００から得られる撮像データを記憶する。ＳＤメモリ１０４は、ウェアラブルカメラ１の本体に対して取付け／取外しが可能となっている。ＥＥＰＲＯＭ１０５は、ウェアラブルカメラ１のシリアル番号を記憶する。ＲＴＣ１０６は、現在時刻情報を出力する。ＲＴＣ１０６は、専用の電池（図示略）を有し、ウェアラブルカメラ１の電源が切られていても現在時刻を刻み続ける機能を有する。なお、ＣＰＵ１０８は、ＲＴＣ１０６を用いて録画タイマー１３２として機能する。
【００３１】
ＧＰＳ１０７は、地球周回軌道に配置された人工衛星から送信される電波を受信して緯度・経度・高度および時刻を測定し、その結果を位置情報および時刻補正用情報として出力する。通信部１０９は、例えばＩＥＥＥ８０２．１１規格のＷ−ＬＡＮ方式を用いて車載カメラシステム２のビデオレコーダ２１と無線通信を行う。ＵＳＢ１１０は、シリアルバスであり、ウェアラブルカメラ１と車載カメラシステム２のビデオレコーダ２１と有線による接続を可能とする。電源部１１１は、コンタクトターミナル１８を介して供給される電源でバッテリ１１２を充電する。バッテリ１１２は、ウェアラブルカメラ１の各部を動作させる電源を供給する。
【００３２】
ＣＰＵ１０８は、ＲＯＭ１０３に記憶されたプログラムに従って動作する。ＣＰＵ１０８は、その動作においてＲＡＭ１０２を使用し、またＲＴＣ１０６より現在時刻情報を得るとともに、ＧＰＳ１０７より位置情報および時刻補正用情報を得る。また、ＣＰＵ１０８は、録画ボタン１２、スナップショットボタン１３及びＷ−ＬＡＮボタン１４の各ボタンの押下の検出を行い、当該操作のあったボタンに対する処理を行う。すなわち、録画ボタン１２が押下された場合、撮像部１００にて動画撮影を行い、撮像部１００から得られる撮像データを動画像としてＳＤメモリ１０４に保存する。また、録画ボタン１２が押下された場合、ＬＥＤ１６を点灯させる。スナップショットボタン１３が押下された場合は、撮像部１００にて静止画撮影を行い、得られる撮像データを静止画像としてＳＤメモリ１０４に保存する。
【００３３】
Ｗ−ＬＡＮボタン１４が押下された場合は、通信部１０９を使用して車載カメラシステム２のビデオレコーダ２１との間でＷ−ＬＡＮ通信を行う。また、Ｗ−ＬＡＮボタン１４が押下された場合、ＬＥＤ１７を点灯させる。このとき、通信に関するモードがアクセスポイントモードになっていれば第１色で点灯させ、ステーションモードになっていれば第２色で点灯させる。
【００３４】
ＣＰＵ１０８は、Ｗ−ＬＡＮボタン１４が押下されたことを検知した場合、車載カメラシステム２のビデオレコーダ２１との間で無線通信を開始し、リンクの確立後、ウェアラブルカメラ１と車載カメラシステム２との間の距離を監視する。ＣＰＵ１０８は、ウェアラブルカメラ１と車載カメラシステム２との間の距離が所定の距離（例えば５ｍ）以上離間したことを検出すると録画を開始する。すなわち、撮像部１００にて動画撮像を開始し、撮像部１００から得られる撮像データを動画像としてＳＤメモリ１０４に保存する。
【００３５】
また、ＣＰＵ１０８は録画の開始時にＬＥＤ１６を点灯させ、さらに録画タイマー１３２にタイマー値を設定するとともに、録画の残り時間を設定する。録画タイマー１３２は、録画の停止忘れによる記憶容量圧迫および内蔵バッテリの電力消耗を防止する。録画タイマー１３２のタイマー値と録画残り時間は、固定値としてウェアラブルカメラ１自体に設定しておいてもよいし（例えば、ＲＯＭ１０３に記憶させておく）、ウェアラブルカメラ１に設定用のボタンを設けて、ウェアラブルカメラ１にてユーザが任意の値を設定できるようにしてもよい。
【００３６】
録画タイマー１３２のタイマー値は例えば１０分、録画残り時間は例えば３０秒であり、本実施の形態ではこれらの値を使用するようにしている。
【００３７】
ＣＰＵ１０８は、録画開始から録画残り時間が３０秒になると、ＬＥＤ１６を点灯状態から点滅状態にする。そして、録画残り時間が経過する前にユーザによって録画ボタン１２が押下されたことを検出すると、録画タイマー１３２のタイマー値を再設定する。すなわち、１０分に設定する。また、タイマー値が再設定された場合、ＬＥＤ１６を点滅状態から点灯状態にする。ＣＰＵ１０８は、録画残り時間が経過するまでに録画ボタン１２が押下されなければ録画を停止し、ＬＥＤ１６を消灯するとともに、録画タイマー１３２のタイマー値をクリアする。なお、録画ボタン１２を短い間隔で連続２回して押下することで（すなわち、録画ボタン１２をダブルクリックすることで）、タイマー値の再設定が有効になるようにすることで、誤操作を防止することができる。
【００３８】
タイマー録画する場合、常に録画残り時間を気にかけていなければ、録画もれが生ずることがあるが、本発明は、予め設定した録画残り時間になるとＬＥＤ１６を点滅させてユーザに知らせるとともに、タイマー値の再設定による録画の延長を可能とするので、録画もれを防止できる。
【００３９】
なお、強制的に録画を停止するには録画ボタン１２を長押し（例えば３秒）すればよい。ＣＰＵ１０８は録画ボタン１２が長押しされたことを検知すると録画を停止する。なお、録画の停止は、ウェアラブルカメラ１と車載カメラシステム２との間の距離が所定の距離未満になったときに行うようにしてもよい。
【００４０】
ここで、ウェアラブルカメラ１が車載カメラシステム２から所定の距離以上離れたかどうかを判定する方法としては、車載カメラシステム２との通信状態を監視する方法、ウェアラブルカメラ１および車載カメラシステム２の位置を監視する方法がある。前者の車載カメラシステム２との通信状態を監視する方法には、車載カメラシステム２との通信が途絶えたかどうかを判定する方法、車載カメラシステム２から送信された電波を受信したときの当該電波の電界強度の大きさを判定する方法などがある。
【００４１】
車載カメラシステム２との通信が途絶えたかどうかは、通信部１０９の出力により判定することができる。車載カメラシステム２から送信された電波を受信したときの該電波の電界強度は、例えば電波を受信したときに得られる高周波の受信信号を検波し、デジタル変換して出力する機能を通信部１０９に追加して、該機能の出力により判定することができる。ウェアラブルカメラ１および車載カメラシステム２の位置は、ＧＰＳ１０７より得られる位置情報により判定することができる。本実施の形態では、車載カメラシステム２との間の通信が途絶えたことに基づいて、ウェアラブルカメラ１と車載カメラシステム２の所定の距離以上の離間を判定するようにしている。
【００４２】
なお、ＧＰＳ１０７より得られる位置情報に基づいて、ウェアラブルカメラ１と車載カメラシステム２の離間距離を判定する場合は、ＣＰＵ１０８とＧＰＳ１０７が離間検出部１３１を構成することになる。
また、録画を自動的に開始するトリガーとして、距離の検出と組み合わせて利用可能なものとして以下の方法が考えられる。
・パトカー５２０と警察官の向きの違いを、内蔵コンパスで検知し、その結果を利用する方法。
・ウェアラブルカメラ１に気圧センサを追加し、パトカー５２０のドアを開けたときの車内の気圧変化を該気圧センサで検知し、その結果を利用する方法。
・警察官の移動速度（パトカー５２０との違い）をＧＰＳ１０７で検知し、その結果を利用する方法。
【００４３】
図５は、ウェアラブルカメラ１の動作を説明するためのフロー図である。同図において、ウェアラブルカメラ１のＣＰＵ１０８は、車載カメラシステム２のビデオレコーダ２１との間でリンクを確立している状態で、ウェアラブルカメラ１が車載カメラシステム２から所定の距離以上離れたことを検出した場合、録画を開始する（ステップＳ１）。このとき、ＣＰＵ１０８は、ＬＥＤ（録画ＬＥＤ）１６を点灯させるとともに、録画タイマー１３２にタイマー値Ｘ（分）を設定するとともに録画の残り時間Ｙ（秒）を設定する。この場合、タイマー値を１０分、録画の残り時間を３０秒に設定したとする。
【００４４】
ＣＰＵ１０８は、録画を開始した後、Ｘ（分）−Ｙ（秒）を経過したかどうか判定する（ステップＳ２）。すなわち、９分３０秒を経過したかどうか判定する。９分３０秒を経過していないと判定した場合（ステップＳ２で「Ｎｏ」と判定した場合）、９分３０秒を経過するまで本判定を繰り返す。これに対し、９分３０秒を経過したと判定した場合（ステップＳ２で「Ｙｅｓ」と判定した場合）、ＬＥＤ（録画ＬＥＤ）１６を点滅させる（ステップＳ３）。ＬＥＤ１６を点滅させた後、録画ボタン１２が押下されたかどうか判定し（ステップＳ４）、録画ボタン１２が押下されたと判定した場合（ステップＳ４で「Ｙｅｓ」と判定した場合）、録画タイマー１３２を再設定し（ステップＳ５）、ステップＳ２の判定に戻る。これに対し、録画ボタン１２が押下されていないと判定した場合（ステップＳ４で「Ｎｏ」と判定した場合）、１０分を経過したかどうか判定する（ステップＳ６）。この判定において、１０分を経過していないと判定した場合（ステップＳ６で「Ｎｏ」と判定した場合）、ステップＳ４の判定に戻る。これに対し、１０分を経過したと判定した場合（ステップＳ６で「Ｙｅｓ」と判定した場合）、録画を停止し、ＬＥＤ（録画ＬＥＤ）１６を消灯し、さらに録画タイマー１３２のタイマー値をクリアする（ステップＳ７）。その後、本処理を終える。
【００４５】
このように本実施の形態に係るウェアラブルカメラ１によれば、リンク先の車載カメラシステム２から所定の距離以上離間すると、録画を開始し、またＬＥＤ（録画ＬＥＤ）１６を点灯させるとともに、録画タイマー１３２にタイマー値Ｘ（分）を設定し、さらに録画の残り時間Ｙ（秒）を設定し、録画の残り時間以内に録画ボタン１２が押下された場合には、録画タイマー１３２の再設定を行って録画時間の延長を可能としたので、必要なときにのみ録画が可能となる。例えば、録画もれを防止することができる。また、無駄な録画を行わないことから、事件性のあるシーンについての十分な量の録画が可能となる。また、内蔵バッテリの電力を無駄にしてしまうことがないため、内蔵バッテリによる長時間使用が可能となる。特に、本実施の形態では、ウェアラブルカメラ１を警察官が使用することを想定していることから、警察署から事件現場までの間は撮影が行われず、事件現場到着時から撮影を行うことができる。
【００４６】
なお、録画タイマー１３２の再設定は、スマートフォン等の携帯端末（図示略）とＷ−ＬＡＮ通信を行うようにして、ウェアラブルカメラ１で撮像しているユーザ以外の第３者（例えば、パトカー５２０に乗車している他の警察官）が当該携帯端末にて遠隔操作で再設定できるようにしてもよい。さらに、車載カメラシステム２のビデオレコーダ２１との間でリンクを確立している状態で、ビデオレコーダ２１を介してＰＣ３で遠隔操作して再設定するようにしてもよい。この場合も遠隔操作するのは、第３者（例えば、パトカー５２０に乗車している他の警察官）である。
【産業上の利用可能性】
【００４７】
本発明は、必要なときにのみ録画できるといった効果を有し、ウェアラブルカメラなど車載カメラシステムと接続可能なカメラへの適用が可能である。
【符号の説明】
【００４８】
１  ウェアラブルカメラ
２  車載カメラシステム
３  車載カメラシステム操作用ＰＣ
１２  録画ボタン
１３  スナップショットボタン
１４  Ｗ−ＬＡＮボタン
１５〜１７，２１７  ＬＥＤ
１８  コンタクトターミナル
２１  ビデオレコーダ
２２  車載カメラ
２３  ストレージ
２４  Ｗ−ＬＡＮアンテナ
３１，１０８，２１１  ＣＰＵ
３２  Ｉ／Ｏ制御部
３３，１０９，２２１  通信部
３４  メモリ
３５  入力部
３６  表示部
３７  スピーカ部
３８  ストレージ部
１００  撮像部
１００Ａ  レンズ
１０１，２２０  ＧＰＩＯ
１０２，２１３  ＲＡＭ
１０３  ＲＯＭ
１０４  ＳＤメモリ
１０５  ＥＥＰＲＯＭ
１０６  ＲＴＣ
１０７，２１８  ＧＰＳ
１１０  ＵＳＢ
１１１  電源部
１１２  バッテリ
１３０，１３１  離間検出部
１３２  録画タイマー
２１２  フラッシュＲＯＭ
２１４  ＳＡＴＡ用コネクタ
２１５  マイコン
２１６  ボタン
２１９  ＧＰＳ用アンテナコネクタ
２２２，２２３  ＬＡＮ用コネクタ
２２４  Ｗ−ＬＡＮ用コネクタ
５００  録画システム
５２０  パトカー
【要約】
【課題】必要なときにのみ録画が可能な録画システム及びウェアラブルカメラを提供する。
【解決手段】ウェアラブルカメラ１は、車載カメラシステム２から所定の距離以上離間したことを検出する離間検出部１３０と、ウェアラブルカメラ１における録画時間を規定する録画タイマー１３２と、離間検出部１３０の検出出力に応じて、録画タイマー１３２を設定して録画動作を開始させる録画開始制御部（ＣＰＵ）１０８と、を有し、録画タイマー１３２が満了する前に、録画ボタン１２を押下する操作に応じて録画タイマー１３２を再設定して録画動作を継続させる。
【選択図】図４【図１】
0005830708.tif 000002
【図２】
0005830708.tif 000003
【図３】
0005830708.tif 000004
【図４】
0005830708.tif 000005
【図５】
0005830708.tif 000006